(57)【要約】      （修正有）【課題】管用ネジのシールテープの剥離や鉛筆削り機能をも合わせ持つカッタを提供すること。【解決手段】先端にガイドレール６を取り付けた上カッターケース２と、連結部に取り付けられフライングバー（４）取付部及び鉛筆挿入孔３ｇ並びにシールテープ剥離刃（９）取付溝を備えた下ガイドからなる下カッターケース３と、前記上下カッターケースに取り付けられる鉛筆削りと、正面にスライダー摘み８を取付け左端にカッター刃を連結し、前記カッター挿通溝にスライド可能に取り付けられるスライダーとからなり、シールテープ剥離機構を前記上下カッターケースの後部に取り付けたことを特徴とする。本構成により、シールテープ剥離機構と鉛筆削り機構とを備えたカッターとした。【選択図】図１
2007151662.tif 000002
【特許請求の範囲】
【請求項１】
一辺に刃を形成したシールテープ剥離刃を取り付けた上押さえ部と、前記上押さえ部の左端に回動可能に取り付けられ底面に凹凸を施したフライングバーとからなることを特徴としたシールテープ剥離機構。
【請求項２】
中央にカッター挿通溝を設けた上ガイドと前記上ガイドの下部に連接されフライングバー取付部及び鉛筆削り取付部並びにシールテープ剥離刃取付溝を備えた連結部からなり先端にガイドレールを取り付けた上カッターケースと、  前記連結部に取り付けられフライングバー取付部及び鉛筆挿入孔並びにシールテープ剥離刃取付溝を備えた下ガイドからなる下カッターケースと、  前記上下カッターケースに取り付けられる鉛筆削りと、
正面にスライダー摘みを取付け左端にカッター刃を連結し前記カッター挿通溝にスライド可能に取り付けられるスライダーとからなり  請求項１に記載のシールテープ剥離機構を前記上下カッターケースの後部に取り付けたことを特徴とするシールテープ剥離機構と鉛筆削りを備えたカッター。
【発明の詳細な説明】
【技術分野】
【０００１】
本発明は、水道管やガス管などの連結部であるネジ山に巻き付けたシールテープを取り除くシールテープ剥離機構に関する発明である。
【背景技術】
【０００２】
従来、水道管やガス管などの連結部であるネジ山の隙間を無くす目的でシールテープを巻き付けており、シールテープの巻き直しやシールテープを取り除いて部材の再利用等をする場合はカッターなどで地道にシールテープを取り除いて再利用するか、新しい部材を使用していた。
【特許文献１】実開昭５９−１７４２９４号公報
【０００３】
しかしながら、従来のようなシールテープの取り除き方法ではシールテープがしっかりとネジ山内に入り込んでいるため取り除くには時間がかかり、その上綺麗に取り除くことができなかった。
【０００４】
また、シールテープの取り除きに時間がかかりすぎるためシールテープを巻き付けていない新しい部材を使用することが多く、その分シールテープを巻き付けたままの部材が余り余計なコストがかかっていた。
【発明の開示】
【発明が解決しようとする課題】
【０００５】
そこで、本発明は、巻き付けてしまったシールテープを容易に剥がすことができるシールテープ剥離機構とその機構及び鉛筆削りを備えたカッターを提供することを目的とするものである。
【課題を解決するための手段】
【０００６】
本発明は、上記の課題を解決するために、一辺に刃９ｃを形成したシールテープ剥離刃９を取り付けた上押さえ部３ｃと、前記上押さえ部３ｃの左端に回動可能に取り付けられ底面に凹凸４ｃを施したフライングバー４とからなることを特徴としたシールテープ剥離機構と、中央にカッター挿通溝２ｃを設けた上ガイド２ａと前記上ガイド２ａの下部に連接されフライングバー取付部２ｄ及び鉛筆削り取付部２ｅ並びにシールテープ剥離刃取付溝２ｇを備えた連結部２ｂからなり先端にガイドレール６を取り付けた上カッターケース２と、前記連結部２ｂに取り付けられフライングバー取付部３ｂ及び鉛筆挿入孔３ｇ並びにシールテープ剥離刃取付溝３ｄを備えた下ガイド３ａからなる下カッターケース３と、前記上下カッターケース２、３に取り付けられる鉛筆削り１４と、正面にスライダー摘み８を取付け左端にカッター刃７を連結し前記カッター挿通溝２ｃにスライド可能に取り付けられるスライダー１０とからなり前記シールテープ剥離機構を前記上下カッターケース２、３の後部に取り付けたことを特徴とするシールテープ剥離機構と鉛筆削りを備えたカッター１の構成とした。
【発明の効果】
【０００７】
本発明のシールテープ剥離機構はシールテープ剥離刃をフライングバーによってしっかりとネジ山に咬み合わせてシールテープを巻き付けた部材を回転させて剥がすため、簡単にしかも綺麗にシールテープを剥がすことができる。
【０００８】
また、簡単にシールテープを剥がすことができるため新しい部材を使用することがなくシールテープを巻き付けて使用する部材を再利用でき無駄なコストがかからない。
【０００９】
更に、シールテープ剥離機構を現場の人間が常に持ち歩いているカッターの一部としたことでシールテープ剥離機構を別の道具として持ち歩く必要がなく邪魔にならない。
【００１０】
また、シールテープ剥離機構を備えたカッターの一部に現場の人間が良く使用する鉛筆を削るための鉛筆削りを取り付けたため簡単に速く鉛筆を削ることができ、従来のようにカッターで削る必要がなくなった。
【発明を実施するための最良の形態】
【００１１】
水道管などの連結部に巻き付けたシールテープを簡単かつ綺麗に短時間で剥がすことができ常に邪魔にならずに持ち歩くことができるシールテープ剥離機構という目的を連結部のネジ山に沿った刃を備えたシールテープ剥離刃とフライングバーからなるシールテープ剥離機構をカッターの一部に取り付けたことによって実現した。
【実施例１】
【００１２】
図１は本発明であるシールテープ剥離機構と鉛筆削りを備えたカッターの正面図、図２はシールテープ剥離機構と鉛筆削りを備えたカッターの背面図、図３はシールテープ剥離機構と鉛筆削りを備えたカッターの平面図、図４はシールテープ剥離機構と鉛筆削りを備えたカッターの底面図、図５はシールテープ剥離機構と鉛筆削りを備えたカッターの分解図である。
【００１３】
図１から図５に示すように、本発明であるシールテープ剥離機構と鉛筆削りを備えたカッター１は、張り合わされた上下カッターケース２、３と、上下カッターケース２、３に回動可能に取り付けられたフライングバー４と、上カッターケース２の後端に取り付けられるキャップ５と、上下カッターケース２、３の間に取り付けられたガイドレール６と、上下カッターケース２、３に取り付けられるシールテープ剥離刃９と、上下カッターケース２、３内にスライド可能に取り付けられ先端にカッター刃７を備え上面にスライダー摘み８を備えたスライダー１０とからなる。
【００１４】
図１から図５に示すように、上カッターケース２は、上面に滑り止め２ｋを形成し下面に上制御凹凸２ｊを形成した上ガイド２ａとカッター挿通溝２ｃを設けて上ガイド２ａの下部に連設した連結部２ｂからなる。
【００１５】
上ガイド２ａの先端近くにはガイドレール６を取り付けるための取付部２ｌが設けられている。連結部２ｂの後端部にはフライングバー４を取り付けるためのフライングバー取付部２ｄと鉛筆削り１４を取り付けるための鉛筆削り取付部２ｅを備え、またシールテープ剥離刃９を取り付けるためのシールテープ剥離刃取付溝２ｇが形成されている。また、連結部２ｂのテープ剥離刃取付溝２ｇよりやや後部には凹部２ｍが形成されている。
【００１６】
前記フライングバー取付部２ｄには孔２ｉが穿設されており、前記鉛筆削り取付部２ｅにも孔２ｆが穿設されている。また、連結部２ｂの先端部、中央部、後端部には下ガイド３ａと連結した時に両者を固定するための連結孔２ｈ、２ｈ、２ｈが穿設されている。
【００１７】
下カッターケース３は、上面に下制御凹凸３ｆを形成し下面に下滑り止め３ｅを施した下ガイド３ａからなり、前記上カッターケース２の連結部２ｂに張り合わされる部材である。下ガイド３ａの後端部、即ち連結部２ｂに対応する上押さえ部３ｃにはフライングバー取付部３ｂ及びシールテープ剥離刃取付溝３ｄを備え、テープ剥離刃取付溝３ｄより後部には凹部３ｉが形成されている。
【００１８】
また、前記フライングバー取付部３ｂには取付孔３ｈが穿設され、上押さえ部３ｃには鉛筆挿入孔３ｇが穿設されている。前記フライングバー４については、後に図６から図９を使用して説明することとする。
【００１９】
前記キャップ５は、上カッターケース２の後部に取り付けられる部材で正面よりみると略扇型をしている。図示はしていないがキャップ５を上カッターケース２から取り外すと上カッターケース２内に予備カッター刃を格納することができる。
【００２０】
前記ガイドレール６は上カッターケース２の先端に取り付ける部材で、カッター刃７のガイドとなる。カッター挿通部６ｃを設けて上下辺を正面に向かって折り返した上下折返し部６ａ、６ｂを形成し、カッター挿通部６ｃの中央付近に留め具６ｄを備えている。また前端部は尖っている。
【００２１】
カッター刃７は、一般に市販されているカッター用の刃７ａであり、等間隔かつ平行に複数本の折り線７ｂ、７ｂ、７ｂ・・・を施し、後端部付近に孔７ｃを穿設している。
【００２２】
スライダー摘み８はカッター刃７を安全に出し入れするための部材で、後に説明するスライダーの正面に取り付けられる。スライダー摘み８の表面は滑り止め８ａが施されており、指が滑る心配がない。
【００２３】
図６は本発明であるシールテープ剥離機構と鉛筆削りを備えたカッターのフライングバーの正面図、図７はフライングバーの平面図、図８はフライングバーの底面図、図９はフライングバーの断面図である。
【００２４】
図６から図９に示すようにフライングバー４は張り合わされた上下カッターケース２、３の後端付近に穿設されたフライングバー取付部２ｄ、３ｂに回動可能に取り付けられる部材である。フライングバー４は略三日月型をしており、先端部に連結孔４ｂを穿設した連結部４ａを連設し、底面に複数の凹凸４ｃを形成して滑り止めとしている。
【００２５】
上面は湾曲部４ｄとして緩やかな曲面を形成し、正面は凸部４ｆとなっており、凸部４ｆの内側は凹部４ｅを形成している。この正面の凹部４ｅによりフライングバー４を摘みやすくしている。またフライングバー４の後部には略Ｌ字型の係止突起４ｇが形成されており、前記凹部２ｍ、３ｉにより形成される係止凹部に係合する。
【００２６】
図１０は本発明であるシールテープ剥離機構と鉛筆削りを備えたカッターのテープ剥離刃の正面図である。図１０に示すように、シールテープ剥離刃９は、上面に刃９ｃを備えた小片である。左右面に凹部９ｂ、９ｂを形成し凹部９ｂより下部を取付部９ａとした。刃９ｃの形状は一般に多く使われているネジ山と同じ形状をしており、刃９ｃをネジ山に併せることによってネジ山に巻き付けられたシールテープを剥離することができる。
【００２７】
図１１は本発明であるシールテープ剥離機構と鉛筆削りを備えたカッターのスライダーの正面図である。スライダー１０は略長方形状の小片で内側に先端が円形となった上下制御アーム１０ｆ、１０ｇを備えた連結部１０ａと連結部１０ａの先端に連接され上下に湾曲した上下制御部１０ｃ、１０ｄを備えた先端部１０ｂからなる。
【００２８】
先端部１０ｂの中央には連結凸部１０ｈが形成されている。前記下制御部１０ｄの先端は折り返し部１０ｅを形成している。
【００２９】
次に図１から図４及び図１２、図１３を使用して各部材の連結方法を説明することとする。図１２は本発明であるシールテープ剥離機構と鉛筆削りを備えたカッターの一部拡大図、図１３はシールテープ剥離機構と鉛筆削りを備えたカッターの斜視図である。図１から図４に示すように、上カッターケース２の連結部２ｂに下ガイド３ａを重ね合わせ連結孔２ｈに固定ピン１３を取り付けることで上下カッターケース２、３は一体となる。
【００３０】
上カッターケース２の取付部２ｌにはガイドレール６が固定されシールテープ剥離機構と鉛筆削りを備えたカッター１の先端部が形成される。上カッターケース２のカッター挿通溝２ｃ内には正面にスライダー摘み８を取り付けたスライダー１０が設置されておりカッター挿通溝２ｃ内を左右にスライドすることができる。
【００３１】
スライダー１０の連結凸部１０ｈにカッター刃７の孔７ｃを取り付けることでスライダー１０とカッター刃７は連結されている。即ち、スライダー１０をカッター挿通溝２ｃ内を左右スライドさせることでカッター刃７をガイドレール６から出し入れすることができる。
【００３２】
キャップ５は上カッターケース２の後部上面に取り付けられるものである。上カッターケース２の後部上面には予備カッターを収納する空間が設けられており、この空間に蓋をするためにキャップ５を取り付けた。
【００３３】
一体となった上下カッターケース２、３のフライングバー取付部２ｄ、３ｂを連結部４ａ、４ａで挟み上カッターケース２の孔２ｉと下カッターケース３の取付孔３ｈとフライングバー４の連結孔４ｂにシャフト１２を挿通して上下カッターケース２、３とフライングバー４を回動可能に連結する。シャフト１２の反対側は固定ピン１２ａで留められている。
【００３４】
下カッターケース３のシーテープ剥離刃取付溝３ｄには前記シールテープ剥離刃９が嵌入して取り付けられている。このときシールテープ剥離刃９の刃９ｃは下側に向いている。
【００３５】
上カッターケース２の鉛筆削り取付部２ｅには鉛筆削り１４が取り付けられ、下カッターケース３により上から覆われている。鉛筆削り１４が取り付けられた位置に下カッターケース３の鉛筆挿入孔３ｇが重なっており、鉛筆挿入孔３ｇに鉛筆を挿入して回転させることで鉛筆を削ることができる。尚、鉛筆の削りカスはフライングバー４と上下カッターケース２、３の間に設けられる空間より外へ出て行く。
【００３６】
図１２及び図１３に示すように、上下カッターケース２、３に取り付けられたフライングバー４はシャフト１２を軸にして下方に向かって回動し、空間１１を広げることができる。空間１１の上面にはシールテープ剥離刃９が突出しており、空間１１にシールテープを巻き付けた部材１６のネジ山部分を合わせフライングバー４とシールテープ剥離刃９でその部材を挟む。
【００３７】
シールテープを巻き付けた部材１６のネジ山はフライングバー４によりシールテープ剥離刃９の刃９ｃにしっかりと係合しており、シールテープを巻き付けた部材をそのまま回転させることで巻き付けられたシールテープが簡単に剥がされる。
【００３８】
フライングバー４を最大まで引き下げることにより空間１１は大きく広がり、シールテープを巻き付けたあらゆる種類の径を持つ部材にも対応することができる。尚、シールテープを剥がすシールテープ剥離刃９の刃９ｃの山を本発明では一般に多く使われているネジ山に合う形状としたが、限定したものではない。
【図面の簡単な説明】
【００３９】
【図１】本発明であるシールテープ剥離機構と鉛筆削りを備えたカッターの正面図である。
【図２】本発明であるシールテープ剥離機構と鉛筆削りを備えたカッターの背面図である。
【図３】本発明であるシールテープ剥離機構と鉛筆削りを備えたカッターの平面図である。
【図４】本発明であるシールテープ剥離機構と鉛筆削りを備えたカッターの底面図である。
【図５】本発明であるシールテープ剥離機構と鉛筆削りを備えたカッターの分解図である。
【図６】本発明であるシールテープ剥離機構と鉛筆削りを備えたカッターのフライングバーの正面図である。
【図７】本発明であるシールテープ剥離機構と鉛筆削りを備えたカッターのフライングバーの平面図である。
【図８】本発明であるシールテープ剥離機構と鉛筆削りを備えたカッターのフライングバーの底面図である。
【図９】本発明であるシールテープ剥離機構と鉛筆削りを備えたカッターのフライングバーの断面図である。
【図１０】本発明であるシールテープ剥離機構と鉛筆削りを備えたカッターのテープ剥離刃の正面図である。
【図１１】本発明であるシールテープ剥離機構と鉛筆削りを備えたカッターのスライダーの正面図である。
【図１２】本発明であるシールテープ剥離機構と鉛筆削りを備えたカッターの一部拡大図である。
【図１３】本発明であるシールテープ剥離機構と鉛筆削りを備えたカッターの斜視図である。
【符号の説明】
【００４０】
１    シールテープ剥離機構と鉛筆削りを備えたカッター
２    上カッターケース
２ａ  上ガイド
２ｂ  連結部
２ｃ  カッター挿通溝
２ｄ  フライングバー取付部
２ｅ  鉛筆削り取付部
２ｆ  孔
２ｇ  テープ剥離刃取付溝
２ｈ  連結孔
２ｉ  孔
２ｊ  上制御凹凸
２ｋ  滑り止め
２ｌ  取付部
２ｍ  凹部
３    下カッターケース
３ａ  下ガイド
３ｂ  フライングバー取付部
３ｃ  上押さえ部
３ｄ  テープ剥離刃取付溝
３ｅ  下滑り止め
３ｆ  下制御凹凸
３ｇ  鉛筆挿入孔
３ｈ  取付孔
３ｉ  凹部
４    フライングバー
４ａ  連結部
４ｂ  連結孔
４ｃ  凹凸
４ｄ  湾曲部
４ｅ  凹部
４ｆ  凸部
４ｇ  係止突起
５    キャップ
６    ガイドレール
６ａ  上折返し部
６ｂ  下折返し部
６ｃ  カッター挿通部
６ｄ  留め具
７    カッター刃
７ａ  刃
７ｂ  折り線
７ｃ  孔
８    スライダー摘み
８ａ  滑り止め
９    テープ剥離刃
９ａ  取付部
９ｂ  凹部
９ｃ  刃
１０    スライダー
１０ａ  連結部
１０ｂ  先端部
１０ｃ  上制御部
１０ｄ  下制御部
１０ｅ  折り返し部
１０ｆ  上制御アーム
１０ｇ  下制御アーム
１０ｈ  連結凸部
１１    空間
１２    シャフト
１２ａ  固定ピン
１３    固定ピン
１４    鉛筆削り
【図１】
2007151662.tif 000003
【図２】
2007151662.tif 000004
【図３】
2007151662.tif 000005
【図４】
2007151662.tif 000006
【図５】
2007151662.tif 000007
【図６】
2007151662.tif 000008
【図７】
2007151662.tif 000009
【図８】
2007151662.tif 000010
【図９】
2007151662.tif 000011
【図１０】
2007151662.tif 000012
【図１１】
2007151662.tif 000013
【図１２】
2007151662.tif 000014
【図１３】
2007151662.tif 000015